(57)【要約】【課題】視認性に優れた、また、イマジナリーポイントとビリヤード練習器具の干渉をなくして、的球と手球が近接している場合にも機能を有するビリヤード練習器具の実現を目的とする。【解決手段】ビリヤードの的球を所定方向に移動させる場合のイマジナリーポイントに配置されるビリヤード練習器具であって、所定の厚みで形成された本体と、本体の上面から立設するピンと、を備え、本体の側縁には、点または本体の上面においてピンから側縁に延びる線分の端点が表示され、ピンが立設する位置をイマジナリーポイントに配置するビリヤード練習器具。【選択図】  図２
2019013366.tif 000002
【特許請求の範囲】
【請求項１】
ビリヤードの的球を所定方向に移動させる場合のイマジナリーポイントに配置されるビリヤード練習器具であって、所定の厚みで形成された本体と、本体の上面から立設するピンと、を備え、本体の側縁には、点または本体の上面においてピンから側縁に延びる線分の端点が表示され、ピンが立設する位置をイマジナリーポイントに配置するビリヤード練習器具。
【請求項２】
点または端点からピンまでの距離（ｒ）と、本体の所定の厚み（ｔ）と、ビリヤードに使用する球の直径（Φ）と、が以下の式に示す関係である請求項１に記載のビリヤード練習器具。
ｒ＝Φ−√（Φｔ−ｔ2）
【請求項３】
本体には上面を二分している段差があり、高い面はポケットビリヤードの球の径（Φ＝57.1ｍｍ）に対応した厚みを有し、低い面はスヌーカービリヤードの球の径（Φ＝52.5ｍｍ）に対応した厚みを有している請求項１または２に記載のビリヤード練習器具。
【請求項４】
本体上面及び側面には、的球に当接させる当節点とピンを結ぶ基準線に対する角度目盛が刻まれている請求項１から３のいずれかに記載のビリヤード練習器具。
【請求項５】
ピンは、コの字の形状であり。コの字の両端は所定の長さを有し、中間部の長さはビリヤードに使用する球の直径の２倍の長さを有する請求項１から４のいずれかに記載のビリヤード練習器具。
【請求項６】
本体には互いに長さの異なる線分が表示されており、一方がポケットビリヤードの球の径に対応した距離を有し、もう一方はスヌーカービリヤードの球の径に対応した距離を有している請求項１または２に記載のビリヤード練習器具。
【発明の詳細な説明】
【技術分野】
【０００１】
本発明は、ビリヤードのイメージトレーニングに資する練習器具。
【背景技術】
【０００２】
従来のビリヤード練習器具には、本体が厚みの薄いシート状の上面にイマジナリーポイントを記したものがある（例えば、特許文献１参照）。
また、透明の球体の内部に棒状のものを設置して、イマジナリーポイントを示したものがある（例えば、特許文献２参照）。
【０００３】
以下、図７により、特許文献１について説明する。図においてＡ１はイマジナリーポイントを示す。
【０００４】
以下、図８により、特許文献２について説明する。図においてＡ１はイマジナリーポイントを示す。
【先行技術文献】
【特許文献】
【０００５】
【特許文献１】特開２００１−２７６２９６号公報
【０００６】
【特許文献２】特開２０１０−２７９６５９号公報
【発明の概要】
【発明が解決しようとする課題】
【０００７】
以上に述べた従来のビリヤード練習器具（特許文献１参照）では、イマジナリーポイントがビリヤード台上の平面にあり、手球と的球の距離が離れている場合には視認性に劣る。また、ビリヤード練習器具（特許文献２参照）では、イマジナリーポイントの周囲に不必要な構成物が存在することで、器具を使用する際にイマジナリーポイントの視認性が良くなくビリヤード練習器具としての機能を障害している。また、また、以上のビリヤード練習器具を使用する際に、手球と的球の位置が近接している場合には、イマジナリーポイントとビリヤード練習器具の干渉が生じるので、ビリヤード練習器具としての機能を有しない場合がある。
【０００８】
本発明は、このような従来の構成が有していた問題を解決しようとするものである。
【課題を解決するための手段】
【０００９】
ビリヤードの的球３を所定方向に移動させる場合のイマジナリーポイントＡ１に配置されるビリヤード練習器具１であって、本体１と、本体１の上面から立設するピン２と、を備え、本体１の側縁には、点または本体１の上面においてピンから側縁に延びる線分７の端点が表示され、ピンが立設する位置をイマジナリーポイントＡ１に配置するビリヤード練習器具。
【００１０】
点または端点からピンまでの距離（ｒ）５と、本体の所定の厚み（ｔ）６と、ビリヤードに使用する球の直径（Φ）４と、が以下の式に示す関係である請求項１に記載のビリヤード練習器具。
ｒ＝Φ−√（Φｔ−ｔ2）
【００１１】
本体１には上面を二分している段差があり、高い面はポケットビリヤードの球の径（Φ＝57.1ｍｍ）に対応した厚み６を有し、低い面はスヌーカービリヤードの球の径（Φ＝52.5ｍｍ）に対応した厚み６を有している請求項１または２に記載のビリヤード練習器具。
【００１２】
本体１上面及び側面には、的球３に当接させる当節点とピンを結ぶ基準線７に対する角度目盛１０が刻まれている請求項１から３のいずれかに記載のビリヤード練習器具。
【００１３】
請求項１のビリヤード練習器具本体１に使用するピン２１であって、コの字の形状を有している。コの字の両端は所定の長さを有し、中間部の長さはビリヤードに使用する球の直径の２倍の長さを有する。
【００１４】
本体１上面の線分７に存在する２か所の端点からピンまでの距離がそれぞれ異なっており、一方がポケットビリヤードの球の径に対応した距離を有し、もう一方はスヌーカービリヤードの球の径に対応した距離を有している請求項１又は２に記載のビリヤード練習器具。
【図面の簡単な説明】
【００１５】
【図１】本発明の本体の寸法を決定する原理図
【図２】同器具の使用概念図１
【図３】同器具の使用概念図２
【図４】イマジナリーポイントの説明図
【図５】手球と的球が近接したときのイマジナリーポイントの説明図
【図６】ピンの形状および寸法図
【図７】同器具の変種形状
【図８】同器具の使用状況図?
【発明を実施するための形態】
【００１６】
以下、本発明の実施の形態を図１〜図８に基づいて説明する。
【００１７】
図１は、本体１の寸法を決定する原理図であり、ビリヤード球の直径４と、所定の厚み６と、当節点８と器具本体１に立設したピン２の立設点Ａ４を結ぶ直線距離５から成る形状を有する。
【００１８】
図１の破線で表示されている円は、仮想の手玉Ａ３を表しており、請求項２に記載の式から導かれる値を用いて構成される器具のピン２の位置はイマジナリーポイントＡ１を内包するので、ピン２はイマジナリーポイントＡ１の照準となる。
【００１９】
図２は、練習器具を使用する１例であり、的球３を、期待する移動方向Ａ２に移動させようとする場合、器具本体１の上面の線分７を的球３の移動方向Ａ２に合わせ、さらに、本体上面の線分７の端点である当節点８に的球３を接触させるように設置する。
【００２０】
図３は、的球３に手球Ａ３が近接していて、器具本体１と手球Ａ３が干渉する場合の設置例であり、この場合はピン２１を使用する。
【００２１】
的球３の移動方向Ａ２に器具本体１を設置して、上面の線分７を的球３の移動方向Ａ２に合わせ、さらに、本体上面の線分７の端点である当節点８に的球３を接触させ、ピン２１を本体上面の線分７に合わせ、ピン２１の先端部を的球３の移動方向Ａ２とは反対方向に設置すると、ピン２１の先端の鉛直方向はイマジナリーポイントＡ１を指し示す。
【００２２】
ピン２１を使用したとき、角度目盛は適用できない。
【００２３】
図４は、ビリヤードにおける的球３と手球Ａ３が衝突したときの、的球３の移動について説明する。
【００２４】
手球Ａ３をイマジナリーポイントＡ１において的球３と衝突させることで、的球３は物理的原則によりイマジナリーポイントＡ１と的球３の中心を結ぶ延長線上のＡ２方向に移動させることが可能になる。
【００２５】
図５は、的球３と手球Ａ３が近接している状態を表しており、イマジナリーポイントＡ１の位置は手球Ａ３と干渉している。
【００２６】
図６は、ピン２と、ピン２１の形状を示しており、中間部のピンの長さ（２）１２はビリヤード球の直径４の２倍の長さを有する。
【００２７】
図７は形状の変種であり、段差を持たない形状である。
【００２８】
図８はビリヤード台に、本器具を設置し、使用している状況を表している。
【００２９】
本器具は、競技者が想定するイマジナリーポイントの正確性を確認するための器具であるので、本器具の指示に従って、単に球を撞いて技能の向上を期待することは本器具の意図するところではない。想定しなければならないイマジナリーポイントの位置が判然としない場合に本器具を使用して正確なイマジナリーポイントを把握することが効果的な使用方法である。
【符号の説明】
【００３０】
１    練習器具本体
２    ピン
２１  ピン
３    的球
４    ビリヤード球の直径
５    当節点からピンまでの距離
６    本体の厚み
７    線分
８    当節点
９    当節点
１０  角度目盛
１１  ピンの長さ（１）
１２  ピンの長さ（２）
１３  ピンの長さ（３）
１４  角度
Ａ１  イマジナリーポイント
Ａ２  的球の移動方向
Ａ３  手球
Ａ４  ピンの立設点
【図１】
2019013366.tif 000003
【図２】
2019013366.tif 000004
【図３】
2019013366.tif 000005
【図４】
2019013366.tif 000006
【図５】
2019013366.tif 000007
【図６】
2019013366.tif 000008
【図７】
2019013366.tif 000009
【図８】
2019013366.tif 000010